(57)【要約】【課題】シートの全面に水溶性保湿成分及び/又は水溶性柔軟成分を塗工することが可能なトイレットペーパーロール及びその製造方法を提供する。【解決手段】JIS-P4501に示すほぐれ易さが１００秒以下のトイレットペーパーロールであって、当該トイレットペーパーロールを構成するシートの少なくとも片面の全面に、水溶性保湿成分及び柔軟成分がシートに対して１〜１０質量％の割合で塗工されており、かつ水溶性保湿成分及び柔軟成分の合計量に対し、水溶性保湿成分が５０質量％以上含まれ、水溶性保湿成分及び柔軟成分は、トイレットペーパーロールを巻き取る前に、シートの原紙の少なくとも片面に、巻取り方向に垂直な方向にそれぞれ３．２〜１０ｍｍの間隔で離間する直径０．５〜２．０ｍｍの複数のオリフィスを接触させ、該オリフィスから前記水溶性保湿成分を含む液を吐出することにより塗工されてなる。【選択図】図２
2012105135.tif 000002
【特許請求の範囲】
【請求項１】
JIS-P4501に示すほぐれ易さが１００秒以下のトイレットペーパーロールであって、
当該トイレットペーパーロールを構成するシートの少なくとも片面の全面に、水溶性保湿成分及び柔軟成分が前記シートに対して１〜１０質量％の割合で塗工されており、かつ前記水溶性保湿成分及び前記柔軟成分の合計量に対し、前記水溶性保湿成分が５０質量％以上含まれ、
前記水溶性保湿成分及び柔軟成分は、前記トイレットペーパーロールを巻き取る前に、前記シートの原紙の少なくとも片面に、前記巻取り方向に垂直な方向にそれぞれ３．２〜１０ｍｍの間隔で離間する直径０．５〜２．０ｍｍの複数のオリフィスを接触させ、該オリフィスから前記水溶性保湿成分を含む液を吐出することにより塗工されてなるトイレットペーパーロール。
【請求項２】
前記水溶性保湿成分は、グリセリン、ジグリセリン、プロピレングリコール、1,3-ブチレングリコール、又はポリエチレングリコールの多価アルコール類；ソルビトール、グルコース、キシリトール、マルトース、マルチトールの多糖類；及びセタノール、ステアリルアルコール、又はオレイルアルコールの高級アルコールの水溶性化誘導体又は乳化物；の群から選ばれる１種以上（Ａ）であり、
前記柔軟成分は、アミノ変性シリコーン、親水性ポリエーテル変性シリコーン等のポリシロキサン系柔軟剤；ポリエチレングリコール脂肪酸エーテル、ポリエチレンエーテル、多価アルコール脂肪酸エステルの非イオン型界面活性剤；4級アンモニア塩型又はアミン塩型カチオン型界面活性剤；両性型界面活性剤、及びアニオン型界面活性剤の群から選ばれる１種以上（Ｂ）であり、
（Ａ）：（Ｂ）の質量比率が９９．９：０．１〜８０：２０である請求項１に記載のトイレットペーパーロール。
【請求項３】
前記オリフィスに接する前記原紙の走行速度が４００ｍ/分以上で製造されてなる請求項１又は２に記載のトイレットペーパーロール。
【請求項４】
水溶性保湿成分及び柔軟成分が全面に塗工され、JIS-P4501に示すほぐれ易さが１００秒以下のトイレットペーパーロールの製造方法であって、
前記トイレットペーパーロールを巻き取る前に、当該トイレットペーパーロールを構成するシートの原紙の少なくとも片面に、前記巻取り方向に垂直な方向にそれぞれ３．２〜１０ｍｍの間隔で離間する直径０．５〜２．０ｍｍの複数のオリフィスを接触させ、該オリフィスから前記水溶性保湿成分及び柔軟成分を含む液を吐出するトイレットペーパーロールの製造方法。
【請求項５】
前記オリフィスに接する前記原紙の走行速度が４００ｍ/分以上である請求項４記載のトイレットペーパーロールの製造方法。
【請求項６】
前記オリフィスはヘッダの所定位置に開口され、少なくとも前記オリフィスが開口した部分の前記ヘッダの外面が円弧状をなし、当該円弧状の面に前記原紙が接し、
前記ヘッダの軸方向から見たとき、前記円弧状の面に接する前記原紙の最上流の位置から最下流の位置へ至る円弧の中心角θ＝３０〜９０°であり、かつ前記オリフィスはθ/２よりも上流側に位置する請求項４又は５記載のトイレットペーパーロールの製造方法。
【請求項７】
前記オリフィスより上流側にて、前記原紙の塗工面と反対面を支持ロールにより押圧して前記円弧状の面に接しさせる請求項６記載のトイレットペーパーロールの製造方法。
【請求項８】
前記オリフィスより下流側にて、前記原紙の塗工面をディフュージングプレートにより支持する請求項６又は７記載のトイレットペーパーロールの製造方法。
【発明の詳細な説明】
【技術分野】
【０００１】
この発明は、ローション等の保湿成分や柔軟成分を塗工したトイレットペーパーロール及びその製造方法に関する。
【背景技術】
【０００２】
近年、ローション等の保湿成分を塗工したティッシュペーパーやトイレットペーパーが開発されている（特許文献１〜３参照）。例えばローションティッシュは、かぜや花粉症等による鼻炎発症時に肌に優しい成分や炎症を緩和する成分が塗工され、これらローション成分はグリセリンやソルビトールを主成分とする水溶性保湿成分と、ウェッブに滑らかを付与する界面活性剤、さらに必要に応じてアロエ等の薬効成分が調合されている。これら成分はいずれも水溶性であるか、又はエマルションなどで水溶性化処理されている。
又、ティッシュペーパーのローション成分等の薬液を塗工する方法として、インターフォルダにおいて、中空丸棒状の案内体の長手方向に沿って形成したスリット状の塗工口から薬液を吐出し、連続供給されるシートに薬液を塗工する技術が開発されている（特許文献４参照）。
【先行技術文献】
【特許文献】
【０００３】
【特許文献１】特開平9-296389号公報
【特許文献２】特開2006-149952号公報
【特許文献３】特開2006-042883号公報
【特許文献４】特開2007-061144号公報（請求項６）
【発明の概要】
【発明が解決しようとする課題】
【０００４】
ところで、ティッシュペーパーには湿潤紙力増強剤が添加されており、強度が比較的高いため、塗工時に水溶性のローション成分に接触しても原紙が断紙せずに塗工可能である。しかしながら、水解性が要求されるトイレットペーパーには湿潤紙力剤が添加できないことから、水溶性のローション成分をトイレットペーパーの全面に塗工すると原紙が破れてしまい、塗工ができなくなる。
又、特許文献４に記載されたようなティッシュペーパーの折り機(インターフォルダーと呼ばれる)の運転速度（ウェッブの走行速度）は１００〜１２０ｍ／分と遅いため、塗工時の水溶性成分の湿潤によってティッシュペーパーの強度が低下しても破れが生じ難く、操業に支障はない。一方、特許文献４記載の技術をトイレットペーパーに適用し、特許文献４に記載されたように塗工口の間隔を１〜３ｍｍとした場合、湿潤によって原紙強度が低下して破れが生じ、操業が困難になることが判明した。これは、トイレットペーパーの巻き取り(ロールワインダーと呼ばれる)の運転速度（ウェッブの走行速度）が４００〜１０００ｍ／分と著しく速く、原紙が破れやすくなったためと考えられる。従って、特許文献４記載の技術を単にトイレットペーパーの製造装置に適用しても、水溶性保湿成分及び柔軟成分が全面に塗工されたトイレットペーパーを実用的に生産することはて困難である。
このようなことから、従来は、ロールワインダーとは別の工程で（ウェッブの走行速度を低くして）、トイレットペーパーの一部にパターン状にローション成分を印刷し、非印刷領域で強度を保持して塗工する方法が採られている。しかし、印刷方式の場合、トイレットペーパーの全面にローション成分を塗工することができず、又、印刷領域には印圧が付与されるため、当該印刷領域で嵩が著しく低下するという問題がある。【０００５】
従って本発明は、ティッシュペーパーの折り機に比べてウェッブの走行速度が高速なトイレットペーパーの巻き取り装置（ロールワインダー）のライン上で、水溶性保湿成分及び柔軟成分を全面に塗工することが可能なトイレットペーパーロール及びその製造方法の提供を目的とする。
【課題を解決するための手段】
【０００６】
上記課題を解決するため、本発明のトイレットペーパーロールは、JIS-P4501に示すほぐれ易さが１００秒以下のトイレットペーパーロールであって、当該トイレットペーパーロールを構成するシートの少なくとも片面の全面に、水溶性保湿成分及び柔軟成分が前記シートに対して１〜１０質量％の割合で塗工されており、かつ前記水溶性保湿成分及び前記柔軟成分の合計量に対し、前記水溶性保湿成分が５０質量％以上含まれ、前記水溶性保湿成分及び柔軟成分は、前記トイレットペーパーロールを巻き取る前に、前記シートの原紙の少なくとも片面に、前記巻取り方向に垂直な方向にそれぞれ３．２〜１０ｍｍの間隔で離間する直径０．５〜２．０ｍｍのオリフィスを接触させ、該オリフィスから前記水溶性保湿成分を含む液を吐出することにより塗工されてなる。【０００７】
前記水溶性保湿成分は、グリセリン、ジグリセリン、プロピレングリコール、1,3-ブチレングリコール、又はポリエチレングリコールの多価アルコール類；ソルビトール、グルコース、キシリトール、マルトース、マルチトールの多糖類；及びセタノール、ステアリルアルコール、又はオレイルアルコールの高級アルコールの水溶性化誘導体又は乳化物；の群から選ばれる１種以上（Ａ）であり、前記柔軟成分は、アミノ変性シリコーン、親水性ポリエーテル変性シリコーン等のポリシロキサン系柔軟剤；ポリエチレングリコール脂肪酸エーテル、ポリエチレンエーテル、多価アルコール脂肪酸エステルの非イオン型界面活性剤；4級アンモニア塩型又はアミン塩型カチオン型界面活性剤；両性型界面活性剤、及びアニオン型界面活性剤の群から選ばれる１種以上（Ｂ）であり、（Ａ）：（Ｂ）の質量比率が９９．９：０．１〜８０：２０であることが好ましい。【０００８】
本発明のトイレットペーパーロールは、前記オリフィスに接する前記原紙の走行速度が４００ｍ/分以上で製造されてなることが好ましい。【０００９】
本発明のトイレットペーパーロールの製造方法は、水溶性保湿成分及び柔軟成分が全面に塗工され、JIS-P4501に示すほぐれ易さが１００秒以下のトイレットペーパーロールの製造方法であって、前記トイレットペーパーロールを巻き取る前に、当該トイレットペーパーロールを構成するシートの原紙の少なくとも片面に、前記巻取り方向に垂直な方向にそれぞれ３．２〜１０ｍｍの間隔で離間する直径０．５〜２．０ｍｍのオリフィスを接触させ、該オリフィスから前記水溶性保湿成分及び柔軟成分を含む液を吐出する。【００１０】
前記オリフィスに接する前記原紙の走行速度が４００ｍ/分以上であることが好ましい。
前記オリフィスはヘッダの所定位置に開口され、少なくとも前記オリフィスが開口した部分の前記ヘッダの外面が円弧状をなし、当該円弧状の面に前記原紙が接し、前記ヘッダの軸方向から見たとき、前記円弧状の面に接する前記原紙の最上流の位置から最下流の位置へ至る円弧の中心角(ラップ角)θ＝３０〜９０°であり、かつ前記オリフィスはθ/２よりも上流側に位置することが好ましい。【００１１】
前記オリフィスより上流側にて、前記原紙の塗工面と反対面を支持ロールにより押圧して前記円弧状の面に接しさせることが好ましい。
前記オリフィスより下流側にて、前記原紙の塗工面をディフュージングプレートにより支持することが好ましい。
【発明の効果】
【００１２】
この発明によれば、シートの全面に水溶性保湿成分及び柔軟成分を塗工したトイレットペーパーロールが得られる。
【図面の簡単な説明】
【００１３】
【図１】本発明の実施形態に係るトイレットペーパーロールの製造装置を示す斜視図である。
【図２】ヘッダ及びオリフィスの構成を示す斜視図である。
【図３】ヘッダの軸方向から見たときの、ヘッダ外面への原紙の接触状態を示す図である。
【図４】支持ロール及びディフュージングプレートの構成を示す斜視図である。
【図５】オリフィスから原紙表面に水溶性保湿成分が塗工される状態を示す図である。
【発明を実施するための形態】
【００１４】
以下、本発明の実施形態に係るトイレットペーパーロールについて説明する。
本発明の実施形態に係るトイレットペーパーロールは、JIS-P4501に示すほぐれ易さが１００秒以下である。ほぐれ易さが１００秒を超えると、水に溶解し難くなってトイレットペーパーとして使用できなくなる。水洗流量のバラツキを考慮すると、ほぐれ易さは５０秒以下がより好ましい。又、トイレットペーパーは、水分に接触すると瞬時に繊維間の水素結合が破壊されて強度を失って水解するよう、湿潤紙力剤を含まないことが好ましい。
トイレットペーパーロールの原紙の原料としては、パルプ100％又は、パルプと古紙パルプの混合物を用いるとよい。パルプと古紙パルプを混合すると、古紙パルプによる風合い低下を改善する効果が期待できる。シートは一枚でもよいが、複数枚重ねるとよい。原紙（シート）の坪量は好ましくは20〜50ｇ/ｍ2である。
【００１５】
また、原紙の吸水性は、水溶性保湿成分及び柔軟成分の塗工スピード及び塗工均一性に影響を与えるため、吸水性に優れた原紙が好ましい。例えば吸水性の指標として、0.1ｍｌ滴下法による、原紙の吸水速度が５秒以下であることが好ましく、より好ましくは１秒以下である。ここで、0.1ｍｌ滴下法は、温度20±１℃の蒸留水0.1ｍｌを、約10ｍｍの高さから原紙に滴下して、水滴が紙面に接触したときから、完全に吸収されて反射光が消えるまでの時間をいう。又、原紙の吸水速度は、原料配合物及びエンボス等による表面処理等の影響を受け、原料に古紙パルプが含まれると吸水性が低下することが一般に知られている。従って、塗工前の原紙にエンボス加工を施すと、吸水性が向上するので好ましい。
【００１６】
又、シートの少なくとも片面の全面には、水溶性保湿成分及び柔軟成分が塗工されている。これらの成分により、使用時の風合いに優れたトイレットペーパーが得られる。
水溶性保湿成分は、グリセリン、ジグリセリン、プロピレングリコール、1,3-ブチレングリコール、又はポリエチレングリコール等の多価アルコール類；ソルビトール、グルコース、キシリトール、マルトース、マルチトール等の多糖類；セタノール、ステアリルアルコール、又はオレイルアルコール等の高級アルコールの水溶性化誘導体又は乳化物；の群から選ばれる１種以上（Ａ）を含むと好ましい。
【００１７】
又、柔軟成分は、アミノ変性シリコーン、親水性ポリエーテル変性シリコーンなどのポリシロキサン系柔軟剤、非イオン型界面活性剤（ポリエチレングリコール脂肪酸エーテル、ポリエチレンエーテル、多価アルコール脂肪酸エステル等）、カチオン型界面活性剤（4級アンモニア塩型、アミン塩型）、両性型界面活性剤、及びアニオン型界面活性剤の群から選ばれる１種以上（Ｂ）を含むことが好ましい。
水溶性保湿成分（A）と、柔軟成分（Ｂ）を併用する場合には、これらを質量比で（Ａ）：（Ｂ）＝９９．９：０．１〜８０：２０とするとよい。
【００１８】
又、水溶性保湿成分及び柔軟成分がシートに対して１〜１０質量％の割合で塗工されている。水溶性保湿成分の割合が１質量％未満であると、トイレットペーパーに十分な風合いを付与することが難しくなる。一方、水溶性保湿成分の割合が１０質量％を超えると、水溶性保湿成分を塗工した際に原紙が破れてしまい、塗工ができなくなる。
なお、シートの両面に水溶性保湿成分及び水溶性柔軟成分が塗工されている場合は、両面の塗工量の合計がシートに対して１〜１０質量％の割合である。
【００１９】
詳しくは後述するが、本発明の実施形態に係るトイレットペーパーロールは、巻き取る前に、原紙の少なくとも片面に、巻取り方向に垂直な方向にそれぞれ３．２〜１０ｍｍの間隔で離間する直径０．５〜２．０ｍｍの複数のオリフィスを接触させ、該オリフィスから水溶性保湿成分を含む液を吐出することにより塗工されてなる。
オリフィスの間隔を３．２ｍｍ以上とすることで、４００〜１０００ｍ／分の運転速度（原紙２の走行速度）においても原紙が破れずに水溶性保湿成分を含む液を塗工することができる。
【００２０】
次に、図１〜図５を参照し、本発明の実施形態に係るトイレットペーパーロールの製造方法について説明する。
図１は、トイレットペーパーロールの製造装置を示す斜視図である。トイレットペーパーロールの原反ロール１０はリコイルされ、シートの原紙２が一対のエンボスロール５０，５１間を連続的に通されてエンボス加工される。次に、エンボス加工後の原紙２は、複数のオリフィス（図２参照）を開口した円筒状のヘッダ６０に連続的に接触し、水溶性保湿成分（液状）を塗工された後、巻き取りロール１２に巻き取られる。巻き取りロール１２に巻き取られた原紙は、適宜製品サイズの幅に剪断されてトイレットペーパーロールとなる。巻き取りロール１２及び図示しないロールの駆動装置等を「巻き取り装置（ロールワインダー）」という。又、原反ロール１０から巻き取りロール１２に至るラインは、４００〜１０００ｍ／分の運転速度（原紙２の走行速度）で操業される。
なお、ヘッダ６０は完全な円筒でなくてもよく、少なくともオリフィス６１（図２参照）が開口した部分のヘッダ６０外面が円弧状をなしていれば、半円筒等の形状であってもよい。又、原紙２に上記水溶性保湿成分及び柔軟成分を塗工すると、原紙２の嵩及び強度が幾分か低下するが、水溶性保湿成分及び柔軟成分を塗工する前に原紙２にエンボス加工を施すと、嵩及び強度の低下を少なくすることができる。また、原紙２の片面へエンボスすることにより、形状に表裏差が生じるときは、凸面側に塗工することで、この表裏差が緩和される効果がある。
また、強度がやや影響するものの、塗工後にエンボス加工してもよい。その場合にはエンボスが鮮明かつ成型が良い。
【００２１】
ここで、図２に示すように、ヘッダ６０は原紙２の巻取り方向（ＭＤ方向）に垂直な方向（ＣＤ方向）を軸方向として設置され、ＣＤ方向に沿うヘッダ６０の外面には、複数のオリフィス６１（円形の流出口）がそれぞれ間隔ｄで離間して開口している。なお、間隔ｄとは、隣接するオリフィス６１の縁同士の距離であり、隣接するオリフィス６１の中心同士の距離ではない。
又、ヘッダ６０のオリフィス６１と反対側には液の供給パイプ６３が複数本延び、供給パイプ６３からヘッダ６０内に上記水溶性保湿成分及び柔軟成分を、ヘッダ６０の長手方向に流量が均一になるように供給しつつ、オリフィス６１から水溶性保湿成分及び柔軟成分を吐出するようになっている。そして、原紙２をオリフィス６１に連続的に接触させながら巻き取ると、オリフィス６１から原紙２表面に上記水溶性保湿成分及び柔軟成分が筋状に塗工される。
ヘッダ６０内では、供給パイプ６３からの薬液流入により長手方向の流速分布が生じ、これによりオリフィス６１からの吐出量にバラツキが生じることがある。これを緩和するため、ヘッダ６０の内径は２０〜４５ｍｍとするのが好ましく、３５〜４５ｍｍとするのがより好ましい。又、オリフィス６１は円形に限らず、楕円等の形状でもあっても良い。
【００２２】
次に、本発明の特徴部分である、オリフィス６１の直径、及びオリフィス６１間の間隔ｄについて説明する。
オリフィス６１の直径を０．５〜２．０ｍｍとし、オリフィス６１間の間隔ｄを３．２〜１０ｍｍとする。間隔ｄが３．２ｍｍ未満であると、塗工時に非塗工部の領域が狭くなるために、原紙２の走行速度が４００ｍ／分以上の高速で原紙の強度が低下し断紙する。ｄが１０ｍｍを超えると、一定の塗工量を確保するために個々のオリフィス６１からの吐出量が増え、非塗工部との境界ムラ（縞模様）が大きくなり、得られたトイレットペーパーの縮みムラ（シワシワ）が生じやすくなると共に、非塗工部の擦れから生じる紙粉の発生量も大きくなる。オリフィス６１の直径が０．５ｍｍ未満であると、オリフィス詰まりが生じやすく、２．０ｍｍより大きいと吐出量にバラツキが生じやすい。なお、オリフィス６１が円形で無い場合、その面積と同一の円の直径を用いる。
【００２３】
また、塗布する水溶性保湿成分及び柔軟成分の液粘度は２５℃で２００ｃＰ（ｍＰａ・ｓ）以下であれば安定して塗工でき、より望ましくは２０〜１００ｃＰ（ｍＰａ・ｓ）である。粘度が高すぎると原紙への移行が悪くなり、ムラが生じやすく塗布スピードも低下することがある。
【００２４】
図３は、ヘッダ６０の軸方向から見たときの、ヘッダ６０外面への原紙２の接触状態を示す図である。ヘッダ６０外面に接する原紙２の最上流の位置をＰとし、最下流の位置をＱとすると、ＰからＱへ至るヘッダ６０外面で構成される円弧の中心角θが３０〜９０°であり、かつオリフィス６１がθ/２（図３の位置Ｔ）よりも上流側に位置することが好ましい。ここで、中心角θは、∠ＰＯＱ（Ｏはヘッダ６０の中心）である。
これにより、オリフィス６１から吐出される薬液と原紙２との接触時間が増え、原紙２への薬液のなじみが良くなる。
【００２５】
図４は、ヘッダ６０近傍に配置した、支持ロール７０及びディフュージング（拡散（Diffuse））プレート７１の構成を示す斜視図である。
原紙２の表面がオリフィス６１（ヘッダ６０）に密着するよう、オリフィス６１より上流側にて、支持ロール７０で原紙２の塗工面と反対面をオリフィス６１近傍のヘッダ６０外面に近接させるとよい。支持ロール７０を設けると、オリフィス６１から吐出される薬液と原紙２との接触時間が更に長くなり、液ダレも防ぐことができる
又、オリフィス６１より下流側にて、ディフュージングプレート７１により原紙２の塗工面を支持するとよい。ディフュージングプレート７１を設けると、ディフュージングプレート７１上で原紙２の薬液の拡散が促進され、原紙２への薬液の馴染みが更に良くなる。
なお、原紙２の走行方向に沿う、ディフュージングプレート７１の長さは４０〜８０ｍｍが望ましい。この長さが４０ｍｍより短いと、上記した原紙２への薬液の馴染み効果が小さく、８０ｍｍより大きいと原紙２が接触により擦られ、紙粉が発生することがある。
【００２６】
また、原紙２をヘッダ６０に接触させて滑走させるため、原紙２から紙粉が生じてオリフィス６１の周辺に堆積することがあるが、エアーパージによる除去や、ヘッダ６０表面の潤滑コーティング処理等によって対処することができる。また、オリフィス６１を有するヘッダ６０を、ＣＤ方向に５〜２０ｍｍの振幅で原紙２に対して摺動させると、オリフィス６１周辺への紙粉堆積を有効に防ぐことができる。なお、オリフィス６１から原紙２に吐出される塗工液は、図３（ａ）の直線筋状でなく、ＣＤ方向に振幅する波形の筋状となるが、吐出後の塗工液は原紙２全面に均一に拡散し、筋模様は消える。ヘッダ６０の摺動は、例えば、図２に示すようにヘッダ６０の横にエアーシリンダー８０、電磁弁式切替バルブ９０を設置することにより行うことができる。
【００２７】
図５は、オリフィス６１から原紙２表面に上記水溶性保湿成分及び柔軟成分が塗工される状態を示す。塗工直後（図５（ａ））では、オリフィス６１に対応した間隔ｄで塗工部４ａがMD方向に沿って筋状に形成され、隣接する塗工部４ａ間が非塗工部４ｂになっている。つまり、塗工部４ａはＭＤ方向に連続するが、ＣＤ方向には連続しない。そして、塗工部４ａでは水溶性保湿成分及び柔軟成分を含むために原紙２の強度が低下するが、ＭＤ方向がＣＤ方向に比べて強度が高いため、ＭＤ方向に沿って塗工部４ａを設けることで原紙２が断紙し難くなり、安定して生産を行うことができる。又、パターン印刷で塗工した場合のように、印刷領域で嵩が著しく低下することが無い。
そして、塗工してしばらく経過すると（図５（ｂ））、原紙２の紙（セルロース）繊維と親和性の高い水溶性保湿成分及び柔軟成分が原紙２のＣＤ方向に浸透して非塗工部４ｂに流れ、通常１〜５分経過後に原紙２の全面に水溶性保湿成分及び柔軟成分が浸透し、筋（縞）模様が消える。このようにして、水溶性保湿成分及び柔軟成分が全面に塗布されたトイレットペーパーロールを製造することができる。
【００２８】
本発明は上記した実施形態に限定されず、本発明の思想と範囲に含まれる様々な変形及び均等物に及ぶことはいうまでもない。
例えば、上記したオリフィス６１による原紙２表面への水溶性保湿成分及び柔軟成分の塗工は、プライマシンで複数枚のプライとした原反ロール１０に対して行うことが好ましい。又、原紙２の両面に塗工する場合は、２個のヘッダ６０をそれぞれ原紙２の表裏に置くのが好ましく、その場合には、原紙２表面の塗工部４ａと裏面の塗工部４ａとの位置をずらした方がよい。
又、水溶性保湿成分及び柔軟成分を原紙に直接塗工してもよく、水溶性保湿成分を溶媒（水等）で薄めて原紙に塗工してもよい。なお、溶媒である水は、原紙中のパルプ繊維の水素結合を破壊することから、水溶性保湿成分及び柔軟成分を水で希釈する場合、水溶性保湿成分及び柔軟成分が５０質量％以上であることが好ましい。
【実施例】
【００２９】
図２に示す内径25ｍｍのSUS製のヘッダ６０に対し、表１に示す間隔と直径のオリフィス６１を軸方向に沿って複数個設けた。オリフィス６１の設置長さは、トイレットペーパーの原紙２の幅（1650ｍｍ）とした。原紙２は2PLYで、全体の坪量17.9ｇ/ｍ2とし、上述の0.1ｍｌ滴下法による吸水速度１秒以下のものを用い、塗工前にエンボス加工を行った。原紙２は、広葉樹晒クラフトパルプ（Ｌ−ＢＫＰ）３０質量部と針葉樹晒クラフトパルプ（Ｎ−ＢＫＰ）７０質量部とからなるパルプスラリーを抄紙して作製した。エンボス形状はオーバルパターン（スチール／ラバー片面  オーバル1.5×2ｍｍ、8個/ｃｍ2）とし、ニップ深さ0.7ｍｍとした。
そして、表１に示す運転速度及び吐出量で、オリフィス６１から水溶性保湿成分及び柔軟成分を原紙２の片面に吐出して塗工を行った。なお、定量吐出ポンプを用いて供給パイプ６３へ水溶性保湿成分及び柔軟成分を供給した。
水溶性保湿成分及び柔軟成分の組成を以下の２種類用意した。組成Ａは、ポリエーテル変性ジメチルシリコーン1wt％、グリセリン99wt％、比重1.25g/cm3、粘度70CP（25℃）とした。組成Ｂは、ポリグリセリンステアリルエステル20wt%、グリセリン３５wt%、ジグリセリン５wt%、精製水４０wt%とした。
又、ヘッダ６０付近には、図３に示す支持ロール７０及びディフュージングプレート７１を配置し、支持ロール７０の位置を移動させることで、中心角θを表１に示すように変化させた。【００３０】
なお、比較例１として、原紙２にエンボス加工のみ行い、水溶性保湿成分及び柔軟成分を塗工しなかったもの（ブランク）を用意した。また比較例3として、巻き取り装置に対してオフライン（別工程）のグラビア塗工にて、水溶性保湿成分及び柔軟成分を原紙２の片面に塗工した。【００３１】
塗工後のトイレットペーパーにおいて、縦及び横の引張強度は、JIS-P8113に基づき、試験片幅25mm幅にて測定した。塗工後のトイレットペーパーのハンドフィールは、複数のパネラーの官能により、以下の１〜5の５段階評価を行い、その平均とした。
１(かなり硬い)  ２、（やや硬い）、３（普通）、4(かなり柔らかい)、５(極めて柔らかい) 
ほぐれ易さは、JIS-P4501に準拠して測定した。【００３２】
液ダレおよび紙粉の有無は、操業中の状態を目視にて判定した。
トイレットペーパーロールの外観は、〇：シワ等の発生がない、△：シワの発生がある、×：塗工ムラがある、の基準で目視評価した。
得られた結果を表１に示す。表１の塗工量は、トイレットペーパーのシートに対する水溶性保湿成分及び柔軟成分の合計量の質量割合である。又、表１の「ｍ当りのオリフィスの吐出量(ml/分)」は、実際のオリフィスの吐出量(ml/分)を、ヘッダ６０の軸方向に沿ったオリフィス６１の設置長さ（1.65ｍ）で割った値である。【００３３】
【表１】
2012105135.tif 000003
【００３４】
表１から明らかなように、トイレットペーパーの片面全体に水溶性保湿成分及び柔軟成分を塗工した各実施例の場合、塗工を行わなかった比較例１に比べてハンドフィールが優れたものとなった。又、オリフィスの間隔を３．２ｍｍ以上とした結果、４００ｍ／分以上の運転速度でも原紙が破れずに塗工することができた。
又、各実施例は、比較例１に比べて強度の低下割合が20％以下、紙厚（嵩）の低下割合が10％以下となり、使用上問題ないレベルである。【００３５】
一方、オフライン（グラビア印刷機）であらかじめ水溶性保湿成分及び柔軟成分を原紙に対して１０wt％塗工した後、各実施例で塗工に用いたのと同じロールワインダーで巻き取り、トイレットロールに加工した比較例２の場合、グラビア印刷によって紙厚が３０％も低下し、強度も約25％低下した。
水溶性保湿成分及び柔軟成分の塗工量が10.0wt％を超えた比較例３の場合、ハンドフィールは良いが、比較例１に比べて強度が40％程度低下し、嵩（紙厚）が20％程度低下した。また、比較例３の場合、塗工量が多いため、塗工部４ａと非塗工部４ｂ（図５（ａ）参照）でトイレットペーパーの伸びが異なり、シワ（縮れ模様）が現れ、幅方向に若干の塗工ムラが見られ外観がやや劣った。
水溶性保湿成分及び柔軟成分の塗工量が1wt％未満である比較例４の場合、ハンドフィールが比較例１と同等であり、改善効果が低い。
中心角θを３０度未満とし、ディフュージングプレートを原紙から離間させた（用いなかった）こと以外は実施例５と同一の条件とした比較例５の場合、液ダレが生じた。
中心角θが９０度を超えたこと以外は実施例５と同一の条件とした比較例６の場合、ヘッダへの原紙の接触が多くなり過ぎ、紙粉の発生が見られた。
ティッシュペーパー製造用の公知のインターフォルダ（特許文献４の図１）を用い、特許文献４に記載されたのと同様の案内体Ｇ３に実施例１と同一条件でスリットを設け、このスリットから水溶性保湿成分及び柔軟成分を塗工した比較例７の場合、オリフィスの間隔を３．２ｍｍ以上とし、運転速度１５０ｍ／分としたところ原紙が破れて折り加工ができなかった。
【符号の説明】
【００３６】
２              トイレットペーパーロールの原紙
６０            ヘッダ
６１            オリフィス
【図１】
2012105135.tif 000004
【図２】
2012105135.tif 000005
【図３】
2012105135.tif 000006
【図４】
2012105135.tif 000007
【図５】
2012105135.tif 000008
【手続補正書】
【提出日】平成24年4月26日(2012.4.26)
【手続補正１】
【補正対象書類名】特許請求の範囲
【補正対象項目名】全文
【補正方法】変更
【補正の内容】
【特許請求の範囲】
【請求項１】
ＪＩＳ−Ｐ４５０１に示すほぐれ易さが１００秒以下のトイレットペーパーロールであって、
当該トイレットペーパーロールを構成するシートの少なくとも片面の全面に、水溶性保湿成分及び柔軟成分が前記シートに対して１〜１０質量％の割合で塗工されており、かつ前記水溶性保湿成分及び前記柔軟成分の合計量に対し、前記水溶性保湿成分が５０質量％以上含まれ、
前記水溶性保湿成分及び柔軟成分は、前記トイレットペーパーロールを巻き取る前に、前記シートの原紙の少なくとも片面に、前記巻取り方向に垂直な方向にそれぞれ３．２〜１０ｍｍの間隔で離間する直径０．５〜２．０ｍｍの複数のオリフィスを接触させ、該オリフィスから前記水溶性保湿成分を含む液を吐出することにより塗工されてなるトイレットペーパーロール。
【請求項２】
前記水溶性保湿成分は、グリセリン、ジグリセリン、プロピレングリコール、１，３−ブチレングリコール、又はポリエチレングリコールの多価アルコール類；ソルビトール、グルコース、キシリトール、マルトース、マルチトールの多糖類；及びセタノール、ステアリルアルコール、又はオレイルアルコールの高級アルコールの水溶性化誘導体又は乳化物；の群から選ばれる１種以上（Ａ）であり、
前記柔軟成分は、アミノ変性シリコーン、親水性ポリエーテル変性シリコーン等のポリシロキサン系柔軟剤；ポリエチレングリコール脂肪酸エーテル、ポリエチレンエーテル、多価アルコール脂肪酸エステルの非イオン型界面活性剤；４級アンモニア塩型又はアミン塩型カチオン型界面活性剤；両性型界面活性剤、及びアニオン型界面活性剤の群から選ばれる１種以上（Ｂ）であり、
（Ａ）：（Ｂ）の質量比率が９９．９：０．１〜８０：２０である請求項１に記載のトイレットペーパーロール。
【請求項３】
前記オリフィスに接する前記原紙の走行速度が４００ｍ／分以上で製造されてなる請求項１又は２に記載のトイレットペーパーロール。
【請求項４】
水溶性保湿成分及び柔軟成分が全面に塗工され、ＪＩＳ−Ｐ４５０１に示すほぐれ易さが１００秒以下のトイレットペーパーロールの製造方法であって、
前記水溶性保湿成分は、グリセリン、ジグリセリン、プロピレングリコール、１，３−ブチレングリコール、又はポリエチレングリコールの多価アルコール類；ソルビトール、グルコース、キシリトール、マルトース、マルチトールの多糖類；及びセタノール、ステアリルアルコール、又はオレイルアルコールの高級アルコールの水溶性化誘導体又は乳化物；の群から選ばれる１種以上（Ａ）であり、
前記柔軟成分は、アミノ変性シリコーン、親水性ポリエーテル変性シリコーン等のポリシロキサン系柔軟剤；ポリエチレングリコール脂肪酸エーテル、ポリエチレンエーテル、多価アルコール脂肪酸エステルの非イオン型界面活性剤；４級アンモニア塩型又はアミン塩型カチオン型界面活性剤；両性型界面活性剤、及びアニオン型界面活性剤の群から選ばれる１種以上（Ｂ）であり、
前記オリフィスに接する前記原紙の走行速度が４００ｍ／分以上であり、
前記トイレットペーパーロールを巻き取る前に、当該トイレットペーパーロールを構成するシートの原紙の少なくとも片面に、前記巻取り方向に垂直な方向にそれぞれ３．２〜１０ｍｍの間隔で離間する直径０．５〜２．０ｍｍの複数のオリフィスを接触させ、該オリフィスから前記水溶性保湿成分及び柔軟成分を含む液を吐出するトイレットペーパーロールの製造方法。
【請求項５】
（Ａ）：（Ｂ）の質量比率が９９．９：０．１〜８０：２０である請求項４記載のトイレットペーパーロールの製造方法。
【請求項６】
前記オリフィスはヘッダの所定位置に開口され、少なくとも前記オリフィスが開口した部分の前記ヘッダの外面が円弧状をなし、当該円弧状の面に前記原紙が接し、
前記ヘッダの軸方向から見たとき、前記円弧状の面に接する前記原紙の最上流の位置から最下流の位置へ至る円弧の中心角θ＝３０〜９０°であり、かつ前記オリフィスはθ／２よりも上流側に位置する請求項４又は５記載のトイレットペーパーロールの製造方法。
【請求項７】
前記オリフィスより上流側にて、前記原紙の塗工面と反対面を支持ロールにより押圧して前記円弧状の面に接しさせる請求項６記載のトイレットペーパーロールの製造方法。
【請求項８】
前記オリフィスより下流側にて、前記原紙の塗工面をディフュージングプレートにより支持する請求項６又は７記載のトイレットペーパーロールの製造方法。
【手続補正書】
【提出日】平成25年8月9日(2013.8.9)
【手続補正１】
【補正対象書類名】特許請求の範囲
【補正対象項目名】全文
【補正方法】変更
【補正の内容】
【特許請求の範囲】
【請求項１】
JIS-P4501に示すほぐれ易さが１００秒以下のトイレットペーパーロールであって、
当該トイレットペーパーロールを構成するシートの少なくとも片面の全面に、水溶性保湿成分及び柔軟成分が前記シートに対して１〜１０質量％の割合で塗工されており、かつ前記水溶性保湿成分及び前記柔軟成分の合計量に対し、前記水溶性保湿成分が５０質量％以上含まれ、
前記水溶性保湿成分及び柔軟成分は、前記トイレットペーパーロールを巻き取る前に、前記シートの原紙の少なくとも片面に、前記巻取り方向に垂直な方向にそれぞれ３．２〜１０ｍｍの間隔で離間する直径０．５〜２．０ｍｍの複数のオリフィスを接触させ、該オリフィスから前記水溶性保湿成分を含む液を吐出することにより、前記オリフィスに接する前記原紙の走行速度が４００ｍ/分以上で塗工されてなるトイレットペーパーロール。
【請求項２】
前記水溶性保湿成分は、グリセリン、ジグリセリン、プロピレングリコール、1,3-ブチレングリコール、又はポリエチレングリコールの多価アルコール類；ソルビトール、グルコース、キシリトール、マルトース、マルチトールの多糖類；及びセタノール、ステアリルアルコール、又はオレイルアルコールの高級アルコールの水溶性化誘導体又は乳化物；の群から選ばれる１種以上（Ａ）であり、
前記柔軟成分は、アミノ変性シリコーン、親水性ポリエーテル変性シリコーン等のポリシロキサン系柔軟剤；ポリエチレングリコール脂肪酸エーテル、ポリエチレンエーテル、多価アルコール脂肪酸エステルの非イオン型界面活性剤；4級アンモニア塩型又はアミン塩型カチオン型界面活性剤；両性型界面活性剤、及びアニオン型界面活性剤の群から選ばれる１種以上（Ｂ）であり、
（Ａ）：（Ｂ）の質量比率が９９．９：０．１〜８０：２０である請求項１に記載のトイレットペーパーロール。
【請求項３】
水溶性保湿成分及び柔軟成分が全面に塗工され、JIS-P4501に示すほぐれ易さが１００秒以下のトイレットペーパーロールの製造方法であって、
前記水溶性保湿成分は、グリセリン、ジグリセリン、プロピレングリコール、1,3-ブチレングリコール、又はポリエチレングリコールの多価アルコール類；ソルビトール、グルコース、キシリトール、マルトース、マルチトールの多糖類；及びセタノール、ステアリルアルコール、又はオレイルアルコールの高級アルコールの水溶性化誘導体又は乳化物；の群から選ばれる１種以上（Ａ）であり、
前記柔軟成分は、アミノ変性シリコーン、親水性ポリエーテル変性シリコーン等のポリシロキサン系柔軟剤；ポリエチレングリコール脂肪酸エーテル、ポリエチレンエーテル、多価アルコール脂肪酸エステルの非イオン型界面活性剤；4級アンモニア塩型又はアミン塩型カチオン型界面活性剤；両性型界面活性剤、及びアニオン型界面活性剤の群から選ばれる１種以上（Ｂ）であり、
前記オリフィスに接する前記原紙の走行速度が４００ｍ/分以上であり、
前記トイレットペーパーロールを巻き取る前に、当該トイレットペーパーロールを構成するシートの原紙の少なくとも片面に、前記巻取り方向に垂直な方向にそれぞれ３．２〜１０ｍｍの間隔で離間する直径０．５〜２．０ｍｍの複数のオリフィスを接触させ、該オリフィスから前記水溶性保湿成分及び柔軟成分を含む液を吐出するトイレットペーパーロールの製造方法。
【請求項４】
前記オリフィスを有するヘッダを、前記巻取り方向に垂直な方向に前記原紙に対して摺動させる請求項３記載のトイレットペーパーロールの製造方法。
【請求項５】
（Ａ）：（Ｂ）の質量比率が９９．９：０．１〜８０：２０である請求項３又は４記載のトイレットペーパーロールの製造方法。
【請求項６】
前記オリフィスはヘッダの所定位置に開口され、少なくとも前記オリフィスが開口した部分の前記ヘッダの外面が円弧状をなし、当該円弧状の面に前記原紙が接し、
前記ヘッダの軸方向から見たとき、前記円弧状の面に接する前記原紙の最上流の位置から最下流の位置へ至る円弧の中心角θ＝３０〜９０°であり、かつ前記オリフィスはθ/２よりも上流側に位置する請求項３〜５のいずれか記載のトイレットペーパーロールの製造方法。
【請求項７】
前記オリフィスより上流側にて、前記原紙の塗工面と反対面を支持ロールにより押圧して前記円弧状の面に接しさせる請求項６記載のトイレットペーパーロールの製造方法。
【請求項８】
前記オリフィスより下流側にて、前記原紙の塗工面をディフュージングプレートにより支持する請求項６又は７記載のトイレットペーパーロールの製造方法。
【手続補正２】
【補正対象書類名】明細書
【補正対象項目名】０００６
【補正方法】変更
【補正の内容】
【０００６】
上記課題を解決するため、本発明のトイレットペーパーロールは、JIS-P4501に示すほぐれ易さが１００秒以下のトイレットペーパーロールであって、当該トイレットペーパーロールを構成するシートの少なくとも片面の全面に、水溶性保湿成分及び柔軟成分が前記シートに対して１〜１０質量％の割合で塗工されており、かつ前記水溶性保湿成分及び前記柔軟成分の合計量に対し、前記水溶性保湿成分が５０質量％以上含まれ、前記水溶性保湿成分及び柔軟成分は、前記トイレットペーパーロールを巻き取る前に、前記シートの原紙の少なくとも片面に、前記巻取り方向に垂直な方向にそれぞれ３．２〜１０ｍｍの間隔で離間する直径０．５〜２．０ｍｍのオリフィスを接触させ、該オリフィスから前記水溶性保湿成分を含む液を吐出することにより、前記オリフィスに接する前記原紙の走行速度が４００ｍ/分以上で塗工されてなる。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
本発明のトイレットペーパーロールの製造方法は、水溶性保湿成分及び柔軟成分が全面に塗工され、JIS-P4501に示すほぐれ易さが１００秒以下のトイレットペーパーロールの製造方法であって、前記水溶性保湿成分は、グリセリン、ジグリセリン、プロピレングリコール、1,3-ブチレングリコール、又はポリエチレングリコールの多価アルコール類；ソルビトール、グルコース、キシリトール、マルトース、マルチトールの多糖類；及びセタノール、ステアリルアルコール、又はオレイルアルコールの高級アルコールの水溶性化誘導体又は乳化物；の群から選ばれる１種以上（Ａ）であり、前記柔軟成分は、アミノ変性シリコーン、親水性ポリエーテル変性シリコーン等のポリシロキサン系柔軟剤；ポリエチレングリコール脂肪酸エーテル、ポリエチレンエーテル、多価アルコール脂肪酸エステルの非イオン型界面活性剤；4級アンモニア塩型又はアミン塩型カチオン型界面活性剤；両性型界面活性剤、及びアニオン型界面活性剤の群から選ばれる１種以上（Ｂ）であり、前記オリフィスに接する前記原紙の走行速度が４００ｍ/分以上であり、前記トイレットペーパーロールを巻き取る前に、当該トイレットペーパーロールを構成するシートの原紙の少なくとも片面に、前記巻取り方向に垂直な方向にそれぞれ３．２〜１０ｍｍの間隔で離間する直径０．５〜２．０ｍｍのオリフィスを接触させ、該オリフィスから前記水溶性保湿成分及び柔軟成分を含む液を吐出する。
【手続補正５】
【補正対象書類名】明細書
【補正対象項目名】００１０
【補正方法】変更
【補正の内容】
【００１０】
前記オリフィスを有するヘッダを、前記巻取り方向に垂直な方向に前記原紙に対して摺動させることが好ましい。
（Ａ）：（Ｂ）の質量比率が９９．９：０．１〜８０：２０であることが好ましい。
前記オリフィスはヘッダの所定位置に開口され、少なくとも前記オリフィスが開口した部分の前記ヘッダの外面が円弧状をなし、当該円弧状の面に前記原紙が接し、前記ヘッダの軸方向から見たとき、前記円弧状の面に接する前記原紙の最上流の位置から最下流の位置へ至る円弧の中心角(ラップ角)θ＝３０〜９０°であり、かつ前記オリフィスはθ/２よりも上流側に位置することが好ましい。
【国際調査報告】
2012105135.tif 000009
2012105135.tif 000010
2012105135.tif 000011
2012105135.tif 000012